(57)【要約】【課題】液体噴射ヘッドに付着したインクが被記録媒体に落下することを防止することができる液体噴射ヘッド及び液体噴射装置を提供する。【解決手段】インクを吐出するノズルが設けられたノズルプレート１３を有するヘッド１０が複数並設されたヘッドユニット１であって、ヘッド１０にはカバーヘッド３０が設けられ、各ヘッド１０は、隣り合う液体噴射ヘッド１０のカバーヘッド３０の側壁部３３同士の間にインクが保持されない間隔Ｌで並設されている。【選択図】図８
2014046501.tif 000002
【特許請求の範囲】
【請求項１】
液体を吐出するノズルが設けられたノズルプレートを有する液体噴射ヘッドが複数並設された液体噴射ヘッドユニットであって、
前記液体噴射ヘッドは、隣り合う前記液体噴射ヘッドの前記ノズルプレートに連続する側面同士の間に液体が保持されない間隔で並設されている
ことを特徴とする液体噴射ヘッドユニット。
【請求項２】
請求項１に記載する液体噴射ヘッドユニットにおいて、
前記液体噴射ヘッドの前記側面は、撥水処理されている
ことを特徴とする液体噴射ヘッドユニット。
【請求項３】
請求項１又は請求項２に記載する液体噴射ヘッドユニットにおいて、
前記液体噴射ヘッドは、前記ノズルプレートの一部を覆うとともに前記側面の一部を覆うカバーヘッドをさらに有し、
前記カバーヘッドの前記側面を覆う部分は、撥水処理されている
ことを特徴とする液体噴射ヘッドユニット。
【請求項４】
請求項１〜請求項３の何れか一項に記載する液体噴射ヘッドユニットと、
前記液体噴射ヘッドを払拭する払拭手段とを備えることを特徴とする液体噴射装置。
【発明の詳細な説明】
【技術分野】
【０００１】
本発明は、液体噴射ヘッドユニット及び液体噴射装置に関し、特に、液体としてインクを吐出するインクジェット式記録ヘッドユニット及びインクジェット式記録装置に関する。
【背景技術】
【０００２】
液体噴射装置に搭載される液体噴射ヘッドの代表例であるインクジェット式記録ヘッドとしては、例えば、圧力発生室が形成された流路形成基板と、流路形成基板の一方面側に設けられる圧電素子を具備し、この圧電素子の変位によって圧力発生室内に圧力を付与することで、ノズルからインク滴を噴射するものがある。
【０００３】
このようなインクジェット式記録ヘッド（以下、単にヘッドと称する）では、ノズルが設けられたノズルプレートの表面にインクや異物などが付着する場合がある。このため、液体噴射装置にワイパー部材を設け、ワイパー部材がノズルプレートの表面を摺動することで、ノズルプレート表面に付着したインク等を除去している（例えば、特許文献１参照）。また、複数のヘッドを並設して固定部材等に固定したヘッドユニットにおいては、ワイパー部材でヘッドごとにノズルプレート表面のインク等を除去している。
【先行技術文献】
【特許文献】
【０００４】
【特許文献１】特開２０１１−１０４９７７号公報
【発明の概要】
【発明が解決しようとする課題】
【０００５】
ノズルプレート表面に付着したインクは、ワイパー部材によりノズルプレートの外側に押し出される。ノズルプレートの外側に押し出されたインクは、記録ヘッドの側面に付着し、隣り合う記録ヘッドの間隔で保持される場合がある。このように記録ヘッド間にインクが保持されたままヘッドユニットが紙面に印刷を行うと、記録ヘッド間に保持されたインクが紙面に落下し、紙面が汚れる虞がある。
【０００６】
なお、このような問題は複数の記録ヘッドを備えたヘッドユニットだけではなく、インク以外の液体を噴射する液体噴射ヘッドユニットにおいても同様に存在する。
【０００７】
本発明はこのような事情に鑑み、液体噴射ヘッドに付着したインクが被記録媒体に落下することを防止することができる液体噴射ヘッドユニット及び液体噴射装置を提供することを目的とする。
【課題を解決するための手段】
【０００８】
上記課題を解決する本発明の態様は、液体を吐出するノズルが設けられたノズルプレートを有する液体噴射ヘッドが複数並設された液体噴射ヘッドユニットであって、前記液体噴射ヘッドは、隣り合う前記液体噴射ヘッドの前記ノズルプレートに連続する側面同士の間に液体が保持されない間隔で並設されていることを特徴とする液体噴射ヘッドユニットにある。
かかる態様では、液体が液体噴射ヘッドの側面に付着したとしても、該液体は液体噴射ヘッドの間に保持されることなく、自重で落下する。すなわち、液体噴射ヘッドに液体が付着し続けることを防止することができる。これにより、液体噴射ヘッドユニットが移動して被記録媒体に吐出を行っても、液体噴射ヘッドには液体が付着していないので、被記録媒体が液体で汚れてしまうことを防止することができる。
【０００９】
ここで、前記液体噴射ヘッドの前記側面は、撥水処理されていることが好ましい。これによれば、液体噴射ヘッドに液体が付着し続けることを確実に防止することができる。
【００１０】
また、前記液体噴射ヘッドは、前記ノズルプレートの一部を覆うとともに前記側面の一部を覆うカバーヘッドをさらに有し、前記カバーヘッドの前記側面を覆う部分は、撥水処理されていることが好ましい。これによれば、カバーヘッドでノズルプレートを保護するとともに、該カバーヘッド間に液体が保持されないようにすることができる。隣り合う液体噴射ヘッドの側面の間に液体が保持され難くなるので、撥水処理を行わない場合よりも液体噴射ヘッドの間隔を狭くすることができる。これにより、各液体噴射ヘッドの間隔を狭めることで液体噴射ヘッドユニットを小型化することができる。
【００１１】
さらに、本発明の他の態様は、上記態様の液体噴射ヘッドユニットと、前記液体噴射ヘッドを払拭する払拭手段とを備えることを特徴とする液体噴射装置にある。
かかる態様では、液体噴射ヘッドに付着したインクが被記録媒体に落下することを防止することができる液体噴射装置が提供される。
【図面の簡単な説明】
【００１２】
【図１】液体噴射装置の概略構成を示す斜視図である。
【図２】ヘッドユニットの底面図である。
【図３】ヘッドの概略構成を示す斜視図である。
【図４】ヘッドの概略構成を示す断面図である。
【図５】ヘッドユニット及び払拭ユニットの概略構成を示す斜視図である。
【図６】払拭ユニットによりヘッドが清掃される動作を示すヘッドの側面図である。
【図７】ヘッドに付着したインクの状態を示す側面図である。
【図８】ヘッド間に保持されたインクの状態を示す側面図である。
【発明を実施するための形態】
【００１３】
〈実施形態１〉
以下に本発明を実施形態に基づいて詳細に説明する。インクジェット式記録ヘッドは液体噴射ヘッドの一例であり、単にヘッドとも言う。インクジェット式記録ヘッドユニットは液体噴射ヘッドユニットの一例であり、単にヘッドユニットとも言う。インクジェット式記録装置は液体噴射装置の一例である。
【００１４】
図１は、インクジェット式記録装置の概略構成を示す斜視図である。図示するように、インクジェット式記録装置Ｉは、キャリッジ２を備えている。キャリッジ２は、中空箱体状の部材であり、複数のヘッド１０を備えるヘッドユニット１が搭載されている。また、キャリッジ２内には、ブラック（Ｂ）、ライトブラック（ＬＢ）、シアン（Ｃ）、マゼンダ（Ｍ）、イエロー（Ｙ）等の複数の異なる色のインクが貯留された液体貯留手段であるインクカートリッジ３が搭載されている。各インクカートリッジ３は、図示しない流路部材を介して各ヘッド１０に接続され、各インクが各ヘッド１０に供給されるように構成されている。
【００１５】
キャリッジ２は、装置本体４に取り付けられたキャリッジ軸５に軸方向（図中のＸ方向。以下、主走査方向）に移動可能に設けられている。そして、駆動モーター６の駆動力が図示しない複数の歯車およびタイミングベルト７を介してキャリッジ２に伝達されることで、キャリッジ２はキャリッジ軸５に沿って移動される。一方、装置本体４にはキャリッジ軸５に沿ってプラテン８が設けられており、図示しない給紙装置等により給紙された紙等の被記録媒体Ｓ（被噴射媒体）がプラテン８上を搬送されるようになっている。
【００１６】
なお、特に図示しないが、インクジェット式記録装置Ｉには、キャリッジ２の移動や被記録媒体Ｓの搬送を制御したり、ヘッド１０にインクを吐出させる駆動信号を送信する制御部が設けられている。
【００１７】
キャリッジ２のホームポジションに対応する位置、すなわち、キャリッジ軸５の一方の端部近傍には、ヘッドユニット１の各ヘッド１０を払拭する払拭ユニット６０が設けられている。払拭ユニット６０の詳細な説明は後述する。
【００１８】
図２〜図４を用いて、ヘッドユニット及びヘッドの構造を説明する。図２は、ヘッドユニットの底面図（ノズル側の面）であり、図３は、ヘッドの概略構成を示す斜視図であり、図４は、ヘッドの概略構成を示す断面図である。
【００１９】
ヘッドユニット１は、平板状の固定部材５０に固定された複数のヘッド１０を有する。本実施形態では、５つのヘッド１０が主走査方向に並設され、固定部材５０に固定されている。図１に示したキャリッジ２の下面（被記録媒体Ｓに対向する面）には、各ヘッド１０の吐出面１２（ノズル１１が開口したノズルプレート１３の表面）が露出しており、被記録媒体Ｓにインクを吐出することが可能となっている。
【００２０】
また、固定部材５０には、各ヘッド１０に対応した５つの開口部５１が設けられている。開口部５１には、ヘッド１０に接続される種々の部品が挿通される。例えば、ヘッド１０にインクを供給する流路部材や、ヘッド１０及びこれを制御する制御部を接続する配線などである。
【００２１】
ヘッド１０は、インクを吐出するノズル１１が設けられたヘッド本体１５と、ヘッド本体１５のノズル１１が開口する吐出面１２とは反対側に固定されたケース２０と、ヘッド本体１５の吐出面１２を覆うカバーヘッド３０と、を具備する。
【００２２】
ヘッド本体１５は、インクを吐出する複数のノズル１１が設けられたノズルプレート１３を具備する。本実施形態では、ヘッド本体１５の長手方向（以下、Ｙ軸方向という）に沿ってノズル１１が並設されたノズル列１１Ａを短手方向（以下、Ｘ軸方向という）に２列設けるようにした。このようなヘッド本体１５では、ノズル１１が開口する面がインクを吐出する吐出面１２となっている。なお、ノズルプレート１３は、例えば、ステンレス鋼等の金属やシリコンなどの導電性材料からなる。もちろんノズルプレート１３は、絶縁体からなる母材の表面に導電層を設けたものであってもよい。
【００２３】
また、ヘッド本体１５は、内部にノズル１１と連通する流路１４が設けられており、図示しない圧力発生手段によって流路１４内のインクに圧力変化を生じさせることでノズル１１からインク滴が吐出される。このように流路１４内に圧力変化を生じさせる圧力発生手段としては、例えば、電気機械変換機能を呈する圧電材料を有する圧電素子を用いた圧電アクチュエーターや、流路１４内に発熱素子を配置して、発熱素子の発熱で発生するバブルによってノズル１１からインク滴を吐出するものや、振動板と電極との間に静電気を発生させて、静電気力によって振動板を変形させて流路１４内に圧力変化を生じさせてノズル１１からインク滴を吐出させるいわゆる静電式アクチュエーターなどを用いることができる。
【００２４】
ケース２０は、ヘッド本体１５の吐出面１２とは反対側の面に固定されたものであり、ヘッド本体１５が固定された面とは反対側には、両側面にそれぞれ突出する固定部２１が設けられている。本実施形態では、１つのノズル列１１Ａのノズル１１の並設方向の両側の側面に固定部２１を設けるようにした。この固定部２１の吐出面１２側の面が固定面２２となっている。
【００２５】
また、ケース２０には、図示しない内部にヘッド本体１５へのインクを供給する供給路や、外部からの駆動信号をヘッド本体１５に供給するために配線などが設けられている。このようなケース２０は、例えば、樹脂材料から形成することができる。そのような供給路は、上述した固定部材５０に設けられた開口部５１内で図示しない流路部材に接続され、該流路部材を介してインクカートリッジからインクが供給される。また、ヘッド本体１５に設けられた配線は、開口部５１に挿通された外部配線を介して、該ヘッド本体を制御する制御部に接続されている。
【００２６】
カバーヘッド３０は、ヘッド本体１５の吐出面１２のノズル１１を露出する露出開口部３１を画成すると共に、ノズルプレート１３（吐出面１２）の一部である周縁部側を覆う枠部３２を有する。また、カバーヘッド３０は、ノズルプレート１３に連続した側面（ヘッド本体１５及びケース２０の側面）の一部を覆う側壁部３３を有する。側壁部３３は、枠部３２から屈曲するように形成されている。
【００２７】
ノズル列１１Ａの両端側に位置する側壁部３３は、固定部２１まで延設されており、その先端部が固定部２１にネジ３５で固定されている。側壁部３３がケース２０の固定部２１に固定されることで、カバーヘッド３０はヘッド１０に一体化されている。
【００２８】
図４に示すように、カバーヘッド３０の枠部３２は、ヘッド本体１５の吐出面１２に接着剤３７を介して接着されている。なお、枠部３２とヘッド本体１５の吐出面１２とは、接着剤３７によって接着されていなくても、接触しているだけでもよい。カバーヘッド３０と吐出面１２とを接着剤３７で接着することで、吐出面１２とカバーヘッド３０との段差を減少させることができ、吐出面１２をゴムブレード等で拭うワイピングやノズル１１からインクを吸引する吸引動作などを行っても、吐出面１２にインクが残留するのを抑制することができる。
【００２９】
図５〜図７を用いて、払拭手段の一例である払拭ユニットについて説明する。図５は、ヘッドユニット及び払拭ユニットの概略構成を示す斜視図である。図６は、払拭ユニットによりヘッドが清掃される動作を示すヘッドの側面図である。図７は、ヘッドに付着したインクの状態を示す側面図である。
【００３０】
図５に示すように、払拭ユニット６０は、各ヘッド１０を払拭するワイパー部材６６が設けられた可動機構６５と、可動機構６５を支持する支持部材６１とを備えている。
【００３１】
支持部材６１は、上部に開口した枠体状の部材であり、装置本体４（図１参照）に取り付けられている。支持部材６１には、Ｙ軸を中心に回動可能なピニオン６２が設けられている。
【００３２】
支持部材６１の上部開口側には、Ｙ軸方向（主走査方向）に沿って長尺に形成された可動板６３が配設されている。可動板６３には、支持部材６１に設けられたピニオン６２に噛み合うラック６４が取り付けられている。ラック６４は、Ｘ軸方向に平行に配設されている。このようなピニオン６２、ラック６４、可動板６３から構成された可動機構６５は、ピニオン６２の回動によりラック６４がＹ軸方向に移動することで、可動板６３をＹ軸方向に移動可能としている。
【００３３】
可動板６３上には、ワイパー部材６６が設けられている。ワイパー部材６６は、可動板６３から上方に突出する可撓性部材である。ワイパー部材６６の上端部は、上方を通過するヘッド１０の吐出面１２に接触する高さに設定されている。また、特に図示しないが、ワイパー部材６６は、上下方向（Ｘ軸方向及びＹ軸方向に直交する方向）にも可動するようになっている。この上下方向の可動により、ワイパー部材６６の上端部とヘッド１０との間隔を調節することが可能となっている。
【００３４】
なお、ピニオン６２の回動は、インクジェット式記録装置Ｉに設けられた制御部により制御可能に構成されている。すなわち、制御部は、ピニオン６２等を回動させ、ワイパー部材６６を移動させることが可能となっている。
【００３５】
図６及び図７を用いて、ヘッド１０の吐出面１２を払拭する払拭ユニット６０の動作について説明する。
【００３６】
図６に示すように、払拭ユニット６０は、例えば、印刷を終えたヘッドユニット１がキャリッジ軸５に沿って（図１参照）、払拭ユニット６０上に移動してきたときに、ヘッド１０の払拭を行う。ここでいうヘッド１０の払拭とは、ヘッド１０に設けられたノズルプレート１３の吐出面１２やカバーヘッド３０の枠部３２の表面を払拭することである。すなわち、ヘッド１０のうち、インクの吐出などにともないインクが付着する虞がある表面（被記録媒体Ｓに対向する表面）を払拭する。吐出面１２と枠部３２との払拭は個別に行ってもよいし、同時に行ってもよい。本実施形態では、ワイパー部材６６は、ヘッド１０の吐出面１２及びカバーヘッド３０の枠部３２の表面に当接しうる形状を有するものとする。
【００３７】
図示しない制御部は、次のようにキャリッジ２や可動機構６５を制御してワイパー部材６６でヘッド１０の払拭を行う。
【００３８】
まず、ヘッドユニット１の１つのヘッド１０がワイパー部材６６上に位置するようにキャリッジ２を移動させる。次に、ワイパー部材６６がカバーヘッド３０のＹ軸方向の一端側（図６の左側）に位置するように可動板６３を移動させ、ワイパー部材６６の上端部をカバーヘッド３０の枠部３２に当接させる。
【００３９】
そして、制御部は、ピニオン６２を回動させることで可動板６３をＹ軸方向、すなわち、ヘッドの長尺方向に移動させる。この可動板６３の移動によりワイパー部材６６はヘッド１０の吐出面１２及び枠部３２に当接しながらＹ軸方向に移動する。
【００４０】
例えば、図７（ａ）に示すように、吐出面１２及び枠部３２の表面にインク３８が付着している。図７（ｂ）に示すように、これらの吐出面１２及び枠部３２の表面に付着したインクは、ワイパー部材６６により外側に押し出される。これにより吐出面１２及び枠部３２の表面からインクが除去される。
【００４１】
このように吐出面１２及び枠部３２の表面をワイパー部材６６が摺動することで、それらの表面に付着したインク３８や異物が除去される。一つのヘッド１０について、ワイパー部材６６がヘッド１０の一端から他端まで払拭を終えた後、制御部は、ピニオン６２を回動してワイパー部材６６を元の位置に戻す。そして、次のヘッド１０がワイパー部材６６上に位置するようにヘッドユニット１を移動させ、同様にしてワイパー部材６６でヘッド１０に付着したインク等を払拭させる。このような動作を全てのヘッド１０について行う。
【００４２】
ワイパー部材６６により吐出面１２や枠部の表面から除去されたインクは、一部がそのまま下方に落下する。特に図示しないが、落下したインクは、支持部材６１の内部に設けられたインク回収部材により回収される。一方、吐出面１２や枠部３２の表面から除去されたインクの一部は、ヘッド１０の側面であるカバーヘッドの側壁部３３に付着する場合がある。
【００４３】
ここで、図８を用いて、ヘッドユニット１の各ヘッド１０の間隔について詳細に説明する。図示するように、ヘッド１０の間隔とは、隣り合うヘッド１０の対向する側壁部３３の間隔Ｌをいう。なお、ヘッド１０にカバーヘッド３０が設けられていない場合は、ヘッド１０のノズルプレート１３に連続する側面のうち、隣り合うヘッド１０の対向する側面の間隔をいう。ヘッド１０のノズルプレート１３に連続する側面とは、ケース２０、ヘッド本体１５、ノズルプレート１３等のヘッド１０を構成する部材の側面である。ヘッド１０の側面として、図にはケース２０の側面２０ａを例示している。
【００４４】
ヘッド１０は、ワイパー部材６６（図７参照）の払拭により、カバーヘッド３０の枠部３２及び吐出面１２から外部に排出されたインク３８が保持されない間隔Ｌで固定部材５０に取り付けられている。本実施形態では、ヘッド１０には、カバーヘッド３０が設けられているので、カバーヘッド３０の側壁部３３同士の間隔Ｌはインク３８が保持されない間隔となっている。換言すれば、インク３８が対向する側壁部３３の双方に付着し、表面張力で側壁部３３の間にインク３８が保持されない程度に、側壁部３３同士が離れている。
【００４５】
このようなヘッド１０の間隔Ｌは、インクの粘度、量又は表面張力などにより適宜定める。例えば、インクの粘度が高ければ間隔Ｌを広くし、側壁部３３間のインクの量を多く見積もるのであれば間隔Ｌを広くし、インクの表面張力が高ければ間隔Ｌを広める。
【００４６】
このような間隔でヘッド１０を並設したヘッドユニット１では、カバーヘッド３０の枠部３２及び吐出面１２に付着したインク３８は、ワイパー部材６６により払拭され、一部がカバーヘッド３０の側壁部３３に付着する。しかし、側壁部３３に付着したインクは、対向する側壁部３３の間に表面張力で保持されないので、次第に自重によりそこから落下する。結局、ワイパー部材６６で払拭されたインクは、ヘッド１０に付着することなく、払拭ユニット６０に設けられたインク回収部材に回収されることになる。
【００４７】
さらに、本実施形態では、カバーヘッドの側壁部３３には表面に撥水処理が施されている。撥水処理としては、フッ素樹脂など撥水性を有する材料で側壁部３３表面をコーティングすることや、撥水性を有する材料で側壁部３３を形成することが挙げられる。このように撥水処理を行うことで、側壁部３３に付着したインク３８が残留し続けることを防止することができる。なお、撥水処理を施す領域に特に限定はないが、カバーヘッド３０の側壁部３３の全面に行うことが好ましい。
【００４８】
また、撥水処理は、カバーヘッド３０の枠部３２の表面に行ってもよい。枠部３２を撥水処理することで、枠部３２表面に付着したインク３８をワイパー部材６６で除去することが容易になる。なお、撥水処理を施す領域に特に限定はないが、枠部３２の全面に行うことが好ましい。
【００４９】
以上に説明したように、本実施形態に係るヘッドユニット１は、払拭ユニット６０によりヘッド１０が払拭された際に、枠部３２や吐出面１２に付着したインクが除去される。ここで、隣り合うヘッド１０の間隔は、ヘッド１０の間でインクが保持されないものとした。したがって、払拭ユニット６０の払拭の結果、万が一、インクがヘッド１０の側壁部３３に付着したとしても、該インクはヘッド１０の間に保持されることなく、次第に自重で落下する。すなわち、ヘッド１０にインクが付着し続けることを防止することができる。これにより、ヘッドユニット１が移動して被記録媒体Ｓに印刷を行っても、ヘッド１０にはインク３８が付着していないので、被記録媒体Ｓがインクで汚れてしまうことを防止することができる。
【００５０】
また、カバーヘッド３０の側壁部３３に撥水処理を施すことで、ヘッド１０にインクが付着し続けることを確実に保持することが可能となる。これにより、被記録媒体Ｓにインクが落下して汚してしまうことをより確実に防止することができる。また、このように側壁部３３に撥水処理を行えば、側壁部３３の間にインクが保持され難くなるので、撥水処理を行わない場合よりも間隔Ｌを狭くすることができる。これにより、各ヘッド１０の間隔を狭めることでヘッドユニット１を小型化することができる。なお、ヘッド１０にカバーヘッド３０を設けない場合には、ヘッド１０の側面を撥水処理することで、同様の作用効果を奏する。
【００５１】
〈他の実施形態〉
以上、本発明の一実施形態について説明したが、本発明の基本的構成は上述したものに限定されるものではない。
【００５２】
ヘッド１０は、カバーヘッド３０が設けられたものであったが、このような態様に限定にされない。カバーヘッド３０を設けないヘッド１０においても、上述した払拭ユニット６０による払拭を行えばヘッド１０間にインクが保持されないようにヘッド１０を配設してもよい。例えば、ケース２０の側面２０ａ（図８参照）同士の間にインクが保持されないような配置にすればよい。
【００５３】
また、払拭手段として払拭ユニット６０を例示したが、このような態様に限定されない。ヘッド１０に設けられたノズルプレート１３の吐出面１２や、ノズルプレート１３の吐出面１２の一部を覆うカバーヘッド３０の枠部３２の表面など、被記録媒体Ｓに対向する面を払拭することが可能なものであればよい。
【００５４】
インクジェット式記録装置Ｉは、ヘッドユニット１がキャリッジ２に搭載されて主走査方向に移動するものを例示したが、特にこれに限定されない。例えば、ヘッドユニット１が固定されて、紙等の記録シートを副走査方向に移動させるだけで印刷を行う、所謂ライン式記録装置にも本発明を適用することができる。この場合、払拭ユニット６０がヘッドユニット１側に移動することでヘッド１０の払拭を行うようにすればよい。
【００５５】
さらに、本発明は、広く液体噴射ヘッド全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等にも適用することができる。
【符号の説明】
【００５６】
Ｉ  インクジェット式記録装置（液体噴射装置）、  １  インクジェット式記録ヘッドユニット（液体噴射ヘッドユニット）、  １０  インクジェット式記録ヘッド（液体噴射ヘッド）、  １１  ノズル、  １３  ノズルプレート、  １５  ヘッド本体、  ３０  カバーヘッド、  ３２  枠部、  ３３  側壁部、  ６０  払拭ユニット、  ６５  可動機構、  ６６  ワイパー部材
【図１】
2014046501.tif 000003
【図２】
2014046501.tif 000004
【図３】
2014046501.tif 000005
【図４】
2014046501.tif 000006
【図５】
2014046501.tif 000007
【図６】
2014046501.tif 000008
【図７】
2014046501.tif 000009
【図８】
2014046501.tif 000010